(57)【要約】【課題】スピーカを通じた扉開閉検知部に対する不正なアクセスを防止しつつ、検知部を作動させる作動体を扉側から長く延出させることなく作動体による検知部の作動を可能にする遊技機を提供する。【解決手段】本発明の遊技機は、筐体の正面開口部を開閉可能に閉塞する扉３と、筐体側に設けられ、扉３の開閉を検知する検知部と、扉３側に設けられるスピーカと、扉３側に設けられ、スピーカの背面側を覆うように位置されるカバー８０と、カバー８０に設けられ、扉３の開閉に伴って検知部を作動させるための作動体８３とを有する。【選択図】図６
2019118431.tif 000002
【特許請求の範囲】
【請求項１】
正面開口部を有する筐体と、
前記正面開口部を開閉可能に閉塞する扉と、
前記筐体側に設けられ、前記扉の開閉を検知する検知部と、
前記扉側に設けられるスピーカと、
前記扉側に設けられ、前記スピーカの背面側を覆うように位置されるカバーと、
前記カバーに設けられ、前記扉の開閉に伴って前記検知部を作動させるための作動体と、
を有することを特徴とする遊技機。
【請求項２】
前記作動体により前記検知部の検知体が押圧されることによって前記検知部が作動され、前記カバーが前記扉の本体部材に取り付けられるとともに、前記作動体が前記カバーから前記筐体側へ向けて延びる突出部として形成されることを特徴とする請求項１に記載の遊技機。
【請求項３】
前記作動体は、前記カバーから前記筐体側へ向けて延びて前記作動体を補強する補強部と、該補強部から前記筐体側へ向けて延びて前記検知体に作用する作用部とを有することを特徴とする請求項２に記載の遊技機。
【発明の詳細な説明】
【技術分野】
【０００１】
本発明は遊技機に関する。
【背景技術】
【０００２】
スロットマシン等の遊技機は、一般に、正面開口部を有する筐体と、正面開口部を開閉可能に閉塞する扉とを有しており、遊技機を構成する種々の構成部品が筐体と扉とに振り分けて配置されている。
【０００３】
また、このような遊技機は、扉の開閉を検知する検知部として例えば検知スイッチ（センサ）を有しており（例えば、特許文献１および特許文献２参照）、例えば、検知スイッチがＯＦＦになると、対応する検知信号の状態から扉が開放されていると制御部（制御基板）により認識されて、エラー報知がなされ、一方、検知スイッチがＯＮになると、対応する検知信号の状態から扉が閉塞されていると制御部により認識されて、エラー報知が解除されるようになっている。
【０００４】
このような検知スイッチとしては、機械的または光学的に作動する様々な方式のものが存在するが、一般的には、回動することにより開閉する扉の回動支軸（ヒンジ等）が位置される一方の扉側縁部とは反対側の他方の扉側縁部に設けられるスイッチ作動体が、これに対応して筐体側に設けられる検知スイッチに作用することにより、対応する検知信号が生起される。
【先行技術文献】
【特許文献】
【０００５】
【特許文献１】特開２００１−０３７９４８号
【特許文献２】特開２００８−０００４１３号
【発明の概要】
【発明が解決しようとする課題】
【０００６】
ところで、このような遊技機では、外部から遊技機内部の制御基板等への不正なアクセスを防止することがセキュリティの観点から重要であり、したがって、前述した検知スイッチに対する不正行為も確実に防止されなければならない。
【０００７】
しかしながら、遊技機では、一般に、視覚的な演出に加えて音による演出もなされ、そのため、良好な音響効果を得るべくスピーカが一般に扉の左右に振り分けて設けられ、そのスピーカの位置が、前述したスイッチ作動体の配設位置（扉側縁部）に対応した検知スイッチの設置位置に関連して、検知スイッチの位置とほぼ重なり合う（具体的には、例えば、スピーカよりも内側でスピーカの背面付近に検知スイッチが配置される）場合もあり、したがって、音質向上のために設けられるスピーカグリルの多数の穴を通じてピアノ線等の細長い長尺部材をスピーカの紙材質部分を突き破るように筐体内部に侵入させるなどして検知スイッチに対する不正行為（例えば、検知スイッチがＯＮされて扉が閉じているような状態と誤認識させる不正行為など）を行ない易い状況にある。また、検知スイッチのみならず、そのような長尺部材によって筐体内の制御基板へ不正なアクセスがなされる虞もある。
【０００８】
また、検知スイッチに作用する（検知スイッチを作動させる）スイッチ作動体は、扉に対して様々な形態で設けられ得るが、例えば、検知スイッチ（センサ）がプッシュ式センサである場合、すなわち、スイッチ作動体によって検知スイッチのスイッチ部分を押圧して押し下げる（押し込む）場合には、筐体の比較的奥まった位置に配置される検知スイッチに作用し得るようにスイッチ作動体を扉側から（例えば扉のベース部材から）ロッド状に長く延出させる必要がある。
【０００９】
しかしながら、スイッチ作動体を扉側からロッド状に長く延出させる場合、特にそのようなロッド状のスイッチ作動体を扉のベース部材に一体に形成する場合には、生産性の観点から１つの問題が生じる。すなわち、扉のベース部材にスイッチ作動体の形状を一体で持たせようとすると、特にベース部材が一体成型品（したがって大型）である場合には、金型からの型抜きのために必要とされるロッド状のスイッチ作動体の先端先細り形状にも起因して、スイッチ作動体の長尺化に限界が生じ、あるいは、ベース部材が肉厚化して金型形状が深くなるなどの不都合も生じ得る。
【００１０】
本発明は、前記事情に鑑みてなされたもので、スピーカを通じた扉開閉検知部に対する不正なアクセスを防止しつつ、検知部を作動させる作動体を扉側から長く延出させることなく作動体による検知部の作動を可能にする遊技機を提供することを目的とする。
【課題を解決するための手段】
【００１１】
前記目的を達成するために、本発明の遊技機は、正面開口部を有する筐体と、前記正面開口部を開閉可能に閉塞する扉と、前記筐体側に設けられ、前記扉の開閉を検知する検知部と、前記扉側に設けられるスピーカと、前記扉側に設けられ、前記スピーカの背面側を覆うように位置されるカバーと、前記カバーに設けられ、前記扉の開閉に伴って前記検知部を作動させるための作動体とを有することを特徴とする。
【００１２】
本発明においては、スピーカの背面側を覆うように位置されて扉側に設けられるカバーが、スピーカを通じた筐体内部（例えば筐体内の制御基板等）への不正なアクセス、例えば、音質向上のために設けられるスピーカグリルの多数の穴を通じてピアノ線等の細長い長尺部材をスピーカの紙材質部分を突き破るように筐体内部に侵入させる遊技機正面側からの不正なアクセスを防止でき、したがって、スピーカを通じた検知部に対する不正なアクセスもカバーによって遮られて防止される。このことは、特に、前述したように扉を閉じた状態でスピーカが検知部と対向して位置される（スピーカの設置位置が検知部の設置位置と重なり合う）ような場合に、（扉を閉じた状態で）検知部の正面側にカバーが位置することになるため、遊技機正面側からの検知部への直接的な不正行為をカバーによって確実に防止できることを意味する。
【００１３】
また、本発明においては、このようなカバーに、扉の開閉に伴って検知部を作動させるための作動体が設けられるため、作動体を扉側から長く延出させることなく作動体による検知部の作動を実現できる。これは、特に、スピーカの背面を覆うように扉側に位置して設けられるカバーにあっては、それが扉の本体部材（ベース部材）よりも筐体側に位置され得るため、そのカバーに作動体を設けることにより、作動体の設置位置を扉の本体部材よりも検知部に近づけることができるからである。したがって、作動体を扉の本体部材に一体に形成する必要もなくなり、前述したような生産性に伴う問題、すなわち、金型からの型抜きのために必要とされる作動体の先端先細り形状にも起因して、作動体の長尺化に限界が生じ、あるいは、扉の本体部材が肉厚化して金型形状が深くなるなどといった不都合も生じ得ない。
【００１４】
このように、本発明においては、スピーカ背面の保護（スピーカを通じた検知部等への不正アクセスの防止）と、作動体による検知部の作動という２つの機能を、カバーという１つの部品だけで実現できる。
【００１５】
なお、本発明においては、検知部の検知体が作動体によって押圧されることによって検知部が作動される場合、カバーが扉の本体部材と別体で形成されて本体部材に取り付けられるとともに、作動体がカバーから筐体側へ向けて延びる突出部として形成されることが好ましい。このようにカバーを扉と別体に形成して扉に取り付けるようにすれば、カバーを扉よりも筐体側に十分近づけて位置させることもでき、したがって、作動体を筐体側へ向けて延びる突出部として形成することにより、作動体を扉側から長く延出させなくても、作動体の十分な作動ストロークを確保でき、作動体による検知部の確実な作動を確保できる。
【００１６】
また、このような構成において、作動体は、カバーから筐体側へ向けて延びて作動体を補強する補強部と、該補強部から筐体側へ向けて延びて検知体に作用する作用部とを有することが好ましい。このようにすると、作動体が補強部によって補強されるとともに、補強部が作用部の長さを補うことができるため、検知部が筐体の比較的奥まった位置に配置される場合であっても、作用部を長くすることなく作用部を検知体との作用位置に到達させて検知部を確実に作動させることが可能になる。
【発明の効果】
【００１７】
本発明の遊技機によれば、スピーカの背面側を覆うように位置されて扉側にカバーが設けられるとともに、扉の開閉に伴って検知部を作動させるための作動体がこのカバーに設けられるため、スピーカを通じた検知部に対する不正なアクセスをカバーによって防止しつつ、作動体を扉側から長く延出させることなく作動体による検知部の作動を行なうことができる。
【図面の簡単な説明】
【００１８】
【図１】本発明の一実施の形態に係る遊技機の一例を示す全体斜視図である。
【図２】図１の遊技機の筐体の内部構成を示す正面図である。
【図３】図１の遊技機の扉の内部構成を示す背面図である。
【図４】検知部としての検知スイッチが設けられる筐体部位の拡大斜視図である。
【図５】検知スイッチ単体の拡大斜視図である。
【図６】スピーカの背面側を覆うカバーが設置される扉部位の拡大斜視図である。
【図７】扉の本体部材からカバーを取り外してスピーカを露出させた状態を示す要部拡大斜視図である。
【図８】カバー単体の拡大斜視図である。
【図９】スピーカとカバーおよび作動体との配置関係を示す扉の要部拡大斜視図である。
【発明を実施するための形態】
【００１９】
以下、本発明の実施の形態について図面を参照して説明する。  
まず、遊技機の概略構成について説明する。なお、以下では遊技機の一つであるスロットマシンについて説明するが、本発明に係る遊技機は、スロットマシンに限ることなく、パチンコ遊技機等のその他の遊技機であってもよい。
また、以下の説明においては、基本的に「前後」とは、スロットマシンの前側に遊技者が居る場合に、遊技者側が「前」で、スロットマシン側が「後」を意味し、「上下」とはスロットマシンの上面側が「上」で、下面側が「下」を意味し、「左右」とはスロットマシンを遊技する遊技者の左手側が「左」を意味し、右手側が「右」を意味する。
【００２０】
まず、発明が適用されるスロットマシンＭの概略構成について説明する。
図１はスロットマシンＭを示す斜視図である。このスロットマシンＭは、筐体１を備えており、この筐体１は、底板１ａ、左右の側板１ｂ、天板１ｃおよび背板１ｄを備え、当該筐体１の正面側に開口する正面開口部５を有する箱形に形成されている。なお、図２に明確に示すように、底板１ａの上面には、各部品に電力を供給するための電源装置を内蔵した電源ユニット６、メダルを貯留するとともにメダルを払い出す払い出し装置としてのホッパーユニット７等が設けられている。
【００２１】
また、筐体１の正面には、筐体１の正面開口部５を開閉可能に閉塞する前扉（以下、単に扉と称する）３が設けられる（図３には、扉３が単体で示される）。この扉３は、筐体１の左側縁１ｅに設けられるヒンジ等の回動支軸１３（図２参照）を中心に回動することよって正面開口部５を開閉するようになっており、回動支軸１３に取り付けられるその左側縁３ｂとは反対側のその右側縁３ａが筐体１の右側縁１ｆに対して接離することによって正面開口部５を開閉できる。
【００２２】
また、筐体１内には、図２に示すように、交換ユニットＵが着脱可能に設けられている。この交換ユニットＵは、種々の部品を設置あるいは固定するための支持体としての枠体２０と、この枠体２０に固定されたリールユニット２２および基板ユニット２４とから構成されている。ここで、リールユニット２２は、周囲に複数の図柄を表示した３個の回転リール２２Ａ，２２Ｂ，２２Ｃと、これらの回転リール２２Ａ，２２Ｂ，２２Ｃを回転させるための駆動モータ（ステッピングモータ）を有している。また、基板ユニット２４は、ＣＰＵ、ＲＯＭ、ＲＡＭ、Ｉ／Ｏ等の電子部品を備えた基板を、基板ケースに収納したものである。そして、基板ユニット２４は、スロットマシンＭの遊技を制御するための遊技制御装置として機能する。
【００２３】
図１に示すように、扉３の上部中央には、表示窓３１が設けられ、この表示窓３１の奥には、前述した３個の回転リール２２Ａ，２２Ｂ，２２Ｃが横一列に設けられている。各回転リール２２Ａ，２２Ｂ，２２Ｃの外周面には複数種類の図柄が配列されており、回転リール２２Ａ，２２Ｂ，２２Ｃが停止すると表示窓３１を通して１リール当たり３個の図柄が表示される。スロットマシンＭでは、横３本と斜め２本とからなる計５本の入賞有効ラインが設定されている。  
そして、３個の回転リール２２Ａ，２２Ｂ，２２Ｃが停止したときに入賞有効ライン上に停止した図柄の組み合わせによって当選役が入賞したか否かが表示される。
【００２４】
また、扉３の表示窓３１の上方では、例えば扉３に設けられた液晶パネルを有する画像表示装置３２の表示面を見ることができ、この画像表示装置３２では、その表示面に遊技機における演出用の画像が表示されるようになっている。なお、画像表示装置３２は、演出用の画像を表示できるものであれば、液晶ディスプレイ以外のディスプレイであってもよい。また、扉３の上側には、その他、意匠が施された意匠部や、報知や演出などを行なうためのランプも設けられている。
【００２５】
また、扉３の４隅にほぼ対応する部位、具体的には、右上隅、右下隅、左上隅、左下隅のそれぞれの近傍には、演出用の音声を出力するためのスピーカＳ（Ｓ１，Ｓ２，Ｓ３，Ｓ４）が配設されている。これらの各スピーカＳ（Ｓ１，Ｓ２，Ｓ３，Ｓ４）にはその正面（前面）側にスピーカグリル（保護用ネット）６０が設けられ、これらのスピーカグリル６０には音質向上のために多数の穴が設けられる。特に、右上隅および左上隅の近傍に設けられるスピーカＳ１，Ｓ２は、画像表示装置３２の両側に位置して設けられ、このうち、右上隅付近に位置されるスピーカＳ１は、扉３が閉じられた状態で、扉３の開閉を検知するための後述する検知部としての検知スイッチ７０とほぼ前後の位置関係を成す。
【００２６】
なお、このスロットマシンＭは、分離型筐体タイプの構造を有するものであり、遊技店における機種の交換時に、交換ユニットＵを交換するようになっており、機種の交換時に筐体１、扉３および筐体１内の電源ユニット６やホッパーユニット７等は、遊技店の島設備に取り付けられたままで、交換されないようになっている。また、スロットマシンＭは、分離型筐体タイプに限られるものではなく、機種交換時にスロットマシン全体を交換するものであってもよい。また、扉３を上扉と下扉とに分ける構造であってもよい。この場合、上扉の下端部に、下扉の前面より後方側で下扉の上端より下側に突出する係合部を設け、下扉が閉じた状態で、上扉を開放することができない構造になっていてもよい。
【００２７】
また、扉３の中央部には、スロットマシンＭを操作するための操作部５０が設けられている。操作部５０には、クレジットされたメダルを払い出すための精算スイッチ５２、ゲームを開始させるためのスタートレバー５３、回転リールの回転を停止させるためのストップスイッチ５４、メダルを投入するためのメダル投入口４２、メダル投入口４２の下方のメダル通路内で発生したメダル詰まりを解消するリジェクトボタン、最大数の３枚のメダルをゲームに投資するときに操作されるＭＡＸベットスイッチボタン５６等が設けられる他、遊技の演出等を選択するための操作盤５７や、表示ユニット５８が設けられている。操作盤５７は操作部５０の幅方向（左右方向）の略中央部に配置され、メダル投入口４２およびリジェクトボタンを挟んで、右側に表示ユニット５８が配置されている。なお、操作盤５７には、演出等の選択用の十字キー、決定ボタン、キャンセルボタン等を有している。
【００２８】
また、扉３の下部には、スロットマシン内部よりメダルを排出するためのメダル払い出し口と、メダル払い出し口から排出されたメダルを溜めておくためのメダル受け皿４３とが形成されている。また、操作部５０とメダル受け皿４３との間には液晶表示パネル４５が取り付けられている。また、この液晶表示パネル４５の左右両側にはそれぞれ報知や演出などを行うためのランプ３３が設けられている。
【００２９】
また、図２および図４に示すように、筐体１の右上隅付近（筐体１の右側縁１ｆの上端部付近）には、扉３の開閉を検知するための検知部としての検知スイッチ７０が筐体１に対して例えば着脱可能に取り付けられて設けられる。本実施の形態において、検知スイッチ７０は、図４および図５に示すように、スイッチ本体７０ａを有し、後述する扉３側のスイッチ作動体（作動体）８３（図３および図６参照）によってピン状の検知体７０ｂがスイッチ本体７０ａ側に押し込まれる（押圧される）ことにより作動されるようなっているプッシュ式センサとして構成される。この場合、スイッチ本体７０ａは、検知体７０ｂの作動状態（したがって、扉３の開閉状態）に対応して検知信号を生起するようになっており、具体的には、扉３が閉じられてスイッチ作動体８３により検知体７０ｂが押し込まれると、検知信号（扉閉じ信号）を生起して遊技制御装置としての基板ユニット２４に送信し、一方、扉３が開放されてスイッチ作動体８３が検知体７０ｂから離れることにより検知体７０ｂが例えば弾性的な復帰手段によりスイッチ本体７０ａから突出されると、検知信号を生起しない（検知信号を基板ユニット２４に送信しない）ようになっている。
【００３０】
なお、扉３の開閉を検知するこのような検知部は、プッシュ式の検知スイッチ７０に限らず、他の機械的または光学的に作動する様々な方式のもの、例えば、フォトセンサ（この場合には、後述するスイッチ作動体８３が遮光部として作用する）や近接スイッチ等であってもよい。
【００３１】
また、このような検知スイッチ７０の位置に対応して、扉３側には、図３に示すように、その右側縁３ａの上端部付近に、扉３の開閉に伴って検知スイッチ７０の検知体７０ｂを作動させるためのスイッチ作動体８３が設けられる。このスイッチ作動体８３は、扉３が閉じられた状態で検知スイッチ７０の検知体７０ｂを押し込み可能な位置に設けられ、具体的には、この扉開閉検出領域付近に配置される前述したスピーカＳ１の背面側を覆うように位置して扉３側に設けられる背面カバー８０に対して一体に形成され、または、背面カバー８０に別体として取り付けられる。
【００３２】
なお、このように、扉３の回動支軸（ヒンジ）１３が位置される遊技機の左側縁部とは反対側の右側縁部で検知スイッチ７０とスイッチ作動体８３とを相互に作用させるようにすると、扉３の開閉に伴うスイッチ作動体８３の移動量（作動量）を大きく確保でき、検知スイッチ７０の応答性が良くなる。
【００３３】
スイッチ作動体８３を一体に有する背面カバー８０は、図９に示すように、スピーカＳ１から所定の空間Ｃを隔てた状態で、背面カバー８０に形成されるネジ穴９０（図８参照）に通されるネジやビス９９等によって扉３の例えば本体部材（ベース部材）３Ａに着脱可能に取り付け固定される。この場合、スピーカＳ１と背面カバー８０との間に形成される空間Ｃは、遊技機内部で発生する熱を逃がす放熱用の空間としても機能することができる。なお、本実施の形態では、背面カバー８０が扉３の本体部材３Ａに取り付け固定されるが、背面カバー８０は、扉３側の他の部材に取り付けられ、又は、それらの部材と一体に形成されても構わない。背面カバー８０が扉３側から取り外されると、図７に示すように、扉３側に設けられる背面カバー取り付け開口７９を通じてスピーカＳ１が露出される。
【００３４】
また、背面カバー８０は、スピーカＳ１の背面側を完全に又は部分的に覆う程度の大きさを有していればよく（これにより、部品が小型化され、例えば量産できる）、具体的には、スピーカグリル６０の穴を通じた遊技機正面側からの筐体１内部への直接的な不正アクセスを防止できる面積領域にわたってスピーカＳ１の背面側を覆っていればよい。本実施の形態において、背面カバー８０は、特に図６及び図８に明確に示すように、スピーカＳ１の背面を平面的に完全に覆う平板として形成されるが、スピーカＳ１側から筐体１内へ向かうアクセス経路をラビリンス状（ジグザグ状）の経路とするような異形状を成してスピーカＳ１の背面側に配置されてもよい。
【００３５】
また、背面カバー８０は、図６および図８に示すように、例えばそのほぼ中央部分が内側（後側）にコの字状に折り曲げられるように形成される中空状の凸部８０ａを有し、この凸部８０ａは、その通孔８９を通じてアース線や電気配線などの配線を挿通させることができるとともに、その通孔８９を通じて遊技機内部で発生する熱を逃がすこともできる。また、この通孔８９と対向するように図示しない障壁を設ければ、通孔８９を通じた不正なアクセスをこの障壁によって遮ることができ有益である。
【００３６】
また、背面カバー８０に一体的に設けられるスイッチ作動体８３は、図６および図８に示すように、背面カバー８０から筐体１側へ向けて延びる突出部として形成される。具体的には、本実施の形態において、スイッチ作動体８３は、背面カバー８０から筐体１側へ向けて延びてスイッチ作動体８３を補強する略箱状（中空構造または中実構造）の補強部８３ａと、該補強部８３ａから筐体１側へ向けて延びて検知体７０ｂに作用する作用部８３ｂとからなる２段構造の突出部として形成される。また、作用部８３ｂは、ピン状（ロッド状）を成すとともに、その周囲に補強用および作用面積拡大用の複数のリブ８５を有する。本実施の形態において、これらのリブ８５は、板状を成して、作用部８３ｂの周囲に、周方向に９０度の角度間隔を隔てて４つ設けられる（したがって、作用部８３ｂが全体として十字形状を成す）が、リブ８５の数および形状はこれに限定されない。このようなリブ８５は、スイッチ作動体８３の剛性を高めるとともに、検知スイッチ７０の検知体７０ｂと作用部８３ｂとの接触面積を大きく確保して、例えば組み付けに伴う検知スイッチ７０とスイッチ作動体８３との位置ずれにも対応できる（位置ずれしても検知体７０ｂと作用部８３ｂとの確実な相互作用を実現できる）。なお、本実施の形態において、スイッチ作動体８３は、補強部８３ａと作用部８３ｂとの２段構造を成しているが、単なるピン状を成していても構わない。
【００３７】
以上説明したように、本実施の形態によれば、スピーカＳ１の背面側を覆うように位置されて扉３側に設けられる背面カバー８０が、スピーカＳ１を通じた筐体１内部（例えば筐体１内の制御基板等）への不正なアクセス、例えば、音質向上のために設けられるスピーカグリル６０の多数の穴を通じてピアノ線等の細長い長尺部材をスピーカＳ１の紙材質部分を突き破るように筐体１内部に侵入させる遊技機正面側からの不正なアクセスを防止でき、したがって、スピーカＳ１を通じた検知スイッチ７０に対する不正なアクセスも背面カバー８０によって遮られて防止される。このことは、特に、本実施の形態のように扉３を閉じた状態でスピーカＳ１が検知スイッチ７０と前後にほぼ向き合って位置される（スピーカの設置位置が検知スイッチ７０の設置位置とほぼ重なり合う）ような場合に、（扉３を閉じた状態で）検知スイッチ７０の正面側に背面カバー８０が位置することになるため、遊技機正面側からの検知スイッチ７０への直接的な不正行為を背面カバー８０によって確実に防止できることを意味する。
【００３８】
また、本実施の形態によれば、このような背面カバー８０に、扉３の開閉に伴って検知スイッチ７０を作動させるためのスイッチ作動体８３が設けられるため、スイッチ作動体８３を扉３側から長く延出させることなくスイッチ作動体８３による検知スイッチ７０の作動を実現できる。これは、特に、スピーカＳ１の背面を覆うように扉３側に位置して設けられる背面カバー８０にあっては、それが扉３の本体部材（ベース部材）３Ａよりも筐体１側に位置され得るため、その背面カバー８０にスイッチ作動体８３を設けることにより、（本実施の形態のように）スイッチ作動体８３の設置位置を扉３の本体部材３Ａよりも検知スイッチ７０に近づけることができるからである。したがって、スイッチ作動体８３を扉３の本体部材３Ａに一体に形成する必要もなくなり、そのように一体に形成する場合に生じる生産性の問題、すなわち、金型からの型抜きのために必要とされる作動体の先端先細り形状にも起因して、作動体の長尺化に限界が生じ、あるいは、扉の本体部材が肉厚化して金型形状が深くなるなどといった不都合も生じ得ない。
【００３９】
このように、本実施の形態においては、スピーカ背面の保護（スピーカＳ１を通じた検知スイッチ７０等への不正アクセスの防止）と、スイッチ作動体８３による検知スイッチ７０の作動という２つの機能を、背面カバー８０という１つの部品だけで実現できる。
【００４０】
また、本実施の形態においては、背面カバー８０が扉３と別体に形成されて扉３の本体部材３Ａに取り付けられるため、背面カバー８０を扉３よりも筐体１側に十分近づけて位置させることができ、したがって、本実施の形態のようにスイッチ作動体８３を筐体１側へ向けて延びる突出部として形成することにより、スイッチ作動体８３を扉３側から長く延出させなくても、スイッチ作動体８３の十分な作動ストロークを確保でき、スイッチ作動体８３による検知スイッチ７０の確実な作動を確保できる。
【００４１】
また、本実施の形態では、スイッチ作動体８３が、背面カバー８０から筐体１側へ向けて延びてスイッチ作動体８３を補強する補強部８３ａと、補強部８３ａから筐体１側へ向けて延びて検知スイッチ７０に作用する作用部８３ｂとを有するため、スイッチ作動体８３が補強部８３ａによって補強されるとともに、補強部８３ａが作用部８３ｂの長さを補うことができるため、検知スイッチ７０が筐体１の比較的奥まった位置に配置される場合であっても、作用部８３ｂを長くすることなく作用部８３ｂを検知体７０ｂとの作用位置に到達させて検知スイッチ７０を確実に作動させることが可能になる。
【００４２】
なお、本発明は、前述した実施の形態に限定されず、その要旨を逸脱しない範囲で種々変形して実施できる。例えば、前述の実施形態において、検出スイッチおよび背面カバー（スイッチ作動体）は、遊技機の右側縁部の上端に設けられているが、（スピーカの配設位置に応じて）右側縁部上の任意の位置に設けられてもよく、あるいは、それ以外の位置に設けられても構わない。要は、スピーカの背面側を覆うカバーを設け、そのカバーに対して検出部を作動させる作動体を設ければよい。
【符号の説明】
【００４３】
１  筐体
３  前扉（扉）
３Ａ  本体部材
７０  検知スイッチ（検知部）
８０  背面カバー（カバー）
８３  スイッチ作動体（作動体）
８３ａ  補強部
８３ｂ  作用部
Ｍ  スロットマシン（遊技機）
Ｓ１，Ｓ２，Ｓ３，Ｓ４  スピーカ
【図１】
2019118431.tif 000003
【図２】
2019118431.tif 000004
【図３】
2019118431.tif 000005
【図４】
2019118431.tif 000006
【図５】
2019118431.tif 000007
【図６】
2019118431.tif 000008
【図７】
2019118431.tif 000009
【図８】
2019118431.tif 000010
【図９】
2019118431.tif 000011